(57)【特許請求の範囲】
【請求項１】
磁石と、前記磁石を保持するケースを有し、内部に水道管が挿通される空隙部が設けられ、水道管を前記空隙部に挿通させ、当該水道管を取り巻いた状態で水道管に取り付けられる水質改良装置において、前記ケースは２以上のケース片によって構成され、前記ケース片は分割又は開閉可能であって分割し又は開くことによって水道管から離脱可能であり、さらにケース片同士の分離部又は開閉部にケース片同士を結合する結合手段が設けられ、当該結合手段に錠が設けられ、
ケース片の端部に係合部が設けられ、さらに磁石を内蔵する補助ケース片を有し、当該補助ケース片の端部には前記係合部と係合する被係合部が設けられ、係合部と被係合部を係合させて全長を延長することが可能であり、
補助ケース片を内側に向かって移動させてのみ係合部と被係合部の係合を解くことができることを特徴とする水質改良装置。
【請求項２】
磁石は正面と背面に極が存在し、正面側の極が水道管に面し、他方の極が水道管に対して反対方向に面した状態で配置され、さらに磁石の背面側には磁性体が装着され、当該磁性体は少なくとも一面が水道管に面していることを特徴とする請求項１に記載の水質改良装置。
【発明の詳細な説明】
【０００１】
【発明の属する技術分野】
本発明は、磁気により水道水を改質する水質改良装置に関するものである。
【０００２】
【従来の技術】
水道水を磁場中に通過させると、水の分子集団（クラスター）が小さくなり、水がおいしくなるといわれている。また水道水を磁場中に通過させると、水道管内の固形分を除去する効果もある。
【０００３】
水道水を磁場中に通過させる方策としては、水道配管の途中に、磁石が外周面に取り付けられた管を挿入する方策と、水道配管の周囲に強力な磁石を取り付ける方策がある。ここで後者の磁石を取り付ける方策は、既設の水道配管にも採用することができるという利点がある。
【０００４】
【発明が解決しようとする課題】
しかし、上記した磁石の取り付けは、水道管の配管レイアウト等の関係により、取り付け可能な場所が限定される場合がある。そのため建物の外などの他人の出入りできる場所に取り付けざるを得ない場合があり、かかる場合には、磁石を盗難されるおそれがあった。
【０００５】
また、水道管に対し、長さの長い強力磁石を取り付けた方がより磁力を与えることができるが、配管レイアウトが家屋ごとに異なり、取り付けの場所によってスペースの制限を受けるため、取付け得る長さは個別に異なる。かかる場合に、長さの違うタイプの磁石を作るのでは、品種が増え、量産性が落ち、コストアップとなってしまう。
【０００６】
そこで、本発明は従来技術の上記した問題点に注目し、他人の出入りできる場所に取り付けた場合にも盗難されることなく、また、品種を増加することなく、取り付け場所に適した長さの磁石を取り付けることができるようにすることを課題とする。
【０００７】
【課題を解決するための手段】
そして、上記した目的を達成するための請求項１に記載の発明は、磁石と、前記磁石を保持するケースを有し、内部に水道管が挿通される空隙部が設けられ、水道管を前記空隙部に挿通させ、当該水道管を取り巻いた状態で水道管に取り付けられる水質改良装置において、前記ケースは２以上のケース片によって構成され、前記ケース片は分割又は開閉可能であって分割し又は開くことによって水道管から離脱可能であり、さらにケース片同士の分離部又は開閉部にケース片同士を結合する結合手段が設けられ、当該結合手段に錠が設けられていることを特徴とする水質改良装置である。
【０００８】
ここで水道管とは、水の通る管を意味し、上水道から流れる水だけでなく、井戸水などであっても良い。
本構成の水質改良装置は、磁石と、前記磁石を保持するケースを有し、内部に水道管が挿通される空隙部が設けられ、水道管を前記空隙部に挿通させ、当該水道管を取り巻いた状態で水道管に取り付けられる。そのため水道管に流れる水に磁気を与え水質の改善ができる。
また本発明の水質改良装置は、前記したケースが２以上のケース片によって構成され、ケース片は分割又は開閉可能であって分割し又は開くことによって水道管から離脱可能であるので、水道管への装着が容易である。
【０００９】
さらにケース片同士の分離部又は開閉部にケース片同士を結合する結合手段が設けられ、当該結合手段に錠が設けられているので、取り付けた後で盗難されることがない。
【００１０】
請求項１に記載の発明は、ケース片の端部に係合部が設けられ、さらに磁石を内蔵する補助ケース片を有し、当該補助ケース片の端部には前記係合部と係合する被係合部が設けられ、係合部と被係合部を係合させて全長を延長することが可能である。
【００１１】
請求項１に記載の発明では、ケース片の端部に係合部が設けられ、さらに磁石を内蔵する補助ケース片を有し、当該補助ケース片の端部には前記係合部と係合する被係合部が設けられている。そして前記した係合部と被係合部を係合させて全長を延長することが可能であるので、水質改善装置を取り付ける場合に応じて磁力線の強度を増減することができる。
【００１２】
また補助ケース片の長さを変更したり、補助ケ−ス片を複数取り付けることができるようにして数を変更することで自由に長さ変更することができ、水道管の長さに応じて水質改善装置の長さを適当に変更することができる。このような方法で長さを変更することで、部品の品種を減らすことができ、量産性が向上し、コストを下げることができる。なお補助ケース片を複数取り付けるには、補助ケース片の一端に係合部を、他端に被係合部を設けて補助ケース片同士を取り付ける方法や、ケース片の両端に係合部を設けて両端に取り付ける方法が考えられ、さらにこれらの方法を組み合わせて補助ケース片を複数取り付けても良い。
【００１３】
請求項１に記載の発明は、補助ケース片を内側に向かって移動させてのみ係合部と被係合部の係合を解くことができることを特徴とする水質改良装置である。
【００１４】
本発明の水質改良装置は、補助ケース片を内側に向かって移動させてのみ係合部と被係合部の係合を解くことができるので、補助ケース片は内側方向にしか外すことができない。ここで、内側方向とは、水質改善装置を取り付けた状態でケースの外部から水道管の軸に向かう方向である。補助ケース片が係合され、ケース片が結合して水道管に水質改良装置を取り付けられた場合、補助ケース片は、内側方向にしか外すことができないため、水道管や、他の補助ケース片がじゃまをしてはずせない。したがって、ケース片が結合していれば補助ケース片は外れることはなく、ケース片の結合手段に錠が設けられているので、取り付けた後でケース片のみ成らず補助ケース片も盗難されることがない。
【００１５】
また、磁石と、前記磁石を保持するケースを有し、内部に水道管が挿通される空隙部が設けられ、水道管を前記空隙部に挿通させ、当該水道管を取り巻いた状態で水道管に取り付けられる水質改良装置において、ケースの端部に係合部が設けられ、さらに磁石を内蔵する補助ケースを有し、当該補助ケースの端部には前記係合部と係合する被係合部が設けられ、係合部と被係合部を係合させて全長を延長することが可能となるようにすることができる。
【００１６】
上記構成の水質改良装置は、ケースの端部に係合部が設けられ、さらに磁石を内蔵する補助ケースを有し、補助ケースの端部には前記係合部と係合する被係合部が設けられ、係合部と被係合部を係合させることができる。そのため本発明の水質改良装置は、全長を延長することが可能であるので、水質改善装置を取り付ける場合に補助ケースを付加することにより磁力線の増強を図ることができる。また補助ケ−スを複数取り付けることができるようにして数を変更することで自由に長さ変更することもでき、水道管の長さに応じて水質改善装置の長さを適当に変更することができる。このような方法で長さを変更することで、部品の品種を減らすことができ、量産性が向上し、コストを下げることができる。
【００１７】
請求項２に記載の発明は、磁石は正面と背面に極が存在し、正面側の極が水道管に面し、他方の極が水道管に対して反対方向に面した状態で配置され、さらに磁石の背面側には磁性体が装着され、当該磁性体は少なくとも一面が水道管に面していることを特徴とする請求項１に記載の水質改良装置である。
【００１８】
本発明の水質改良装置は、水道管に与える磁力が強く、効率よく水道水に磁気を与えることができる。
【００１９】
【発明の実施の形態】
図１は、本発明の第１の実施形態における水質改良装置の全体斜視図である。図２は、本発明の第１の実施形態における水質改良装置を分解した状態での斜視図である。図３は、本発明の第１の実施形態におけるケース片の断面斜視図である。図４は、本発明の第１の実施形態における水質改善装置のケース片と補助ケース片の係合を解いた状態での斜視図である。図５は、本発明の第１の実施形態におけるケース片のふたを取り外した状態での斜視図である。図６は、本発明の第２の実施形態における水質改良装置を開いた状態の斜視図である。図７は、本発明の第２の実施形態における水質改良装置を分解した状態の斜視図である。
【００２０】
本発明の実施形態における水質改善装置１は、図１、図２に示され、本体側ケース２と補助ケース３から成る。
さらに本体側ケース２は、接合・離反可能である一対のケース片２ａによって構成されている。ケース片２ａは、直方体の一面が開口した箱状であって、５面が壁によって覆われている。すなわちケース片２ａは、長辺２１と短辺２３，２４を有し、前記長辺２１と短辺２４によって囲まれる二つの面の内の１面が開放面２ｂとなっている。
開放面２ｂ側を上にして見ると、長辺２１を含む２つの側面２ｃと、短辺２３，２４によって構成される２つの側面２ｄを有し、側面２ｃと側面２ｄは直角に接合し、さらに側面２ｃ及び側面２ｄと直角に接合された長辺を含む底面２ｅを有している。
【００２１】
短辺２３，２４によって構成される２つの側面２ｄには、開放面２ｂとつながる長方形の切り欠き２０がある。この切り欠き２０は、二つのケース片２ａが互いに接合されるとほぼ正方形となり、水質改善装置１が水道管５０に取り付けられる際には、水道管５０が通る。
【００２２】
ケース片２ａの底面２ｅの内側には、中蓋部材２ｆが設けられており、中蓋部材２ｆと底面２ｅとの間に空隙部４０が設けられている。そして当該空隙部４０の中に、磁石１０、磁力線方向変更部材１３及び緩衝材１４が設けられており、図３にケース片の断面図を、図５にケース片の中蓋部材２ｆを外した斜視図を示す。
【００２３】
磁石１０は、直方体形状をしたフェライト系等の永久磁石である。磁石１０は正面２５と背面２６に極が存在する。磁力線方向変更部材１３は、２カ所でほぼ垂直に曲げられたＵ字状の板状の磁性体である。
磁石１０の直方体の３辺２７，３０，３１の内の１辺２７は磁力線方向変更部材１３のＵ字の内側の深さＨ（図３）とほぼ同じであり、磁石１０の直方体の３辺の内で前記１辺２７をのぞく２辺３０，３１（図５）による長方形は、磁力線方向変更部材１３のＵ字の底面部１３ｂよりもやや小さい長方形である。そして、磁石１０は磁力線方向変更部材１３の底面部１３ｂの内側に固定される。磁石１０は、前記した様に正面２５と背面２６に極が存在するから、磁力線の向きは、磁力線方向変更部材１３のＵ字の深さＨ方向である。
【００２４】
前記磁石１０と磁力線方向変更部材１３は、ケース片２ａの底面２ｅの内側に取り付けられる。このとき、磁力線方向変更部材１３の先端面１３ａはケース片２ａの内側を向けて取り付けられる。本実施形態では、先端面１３ａは、ケース片２ａの長辺２１を含む側面２ｃと平行に取り付けているが、先端部１３ａがケース片２ａの内側を向けていれば、短辺２４を含む側面２ｃと平行に取り付けてもよい。
【００２５】
ケース片２ａに取り付けられる磁石１０と磁力線方向変更部材１３は、本実施例では２個ずつであるが、１個ずつでもよく３個以上でも良い。また、磁石１０とケース片２ａの短辺を含む側面２ｄの内側と、磁石１０同士の間には緩衝剤１４が取り付けられている。この緩衝剤１４は、直方体の発泡樹脂であり、本実施例ではポリエステル系樹脂の発泡体であるが、弾力性を有する材料であれば良く、発泡がないものや、ゴム等でも良い。緩衝剤１４を用いることで、衝撃によってケース片２や磁石１０の破損を防止し、緩衝剤１４の幅を適当に変えることにより、ケース片２ａと磁力線方向変更部材１３との位置決めや固定を容易にすることができる。磁石１０、磁力線方向変更部材１３及び緩衝剤をケース片２ａの底面２ｅに取り付けた後、中蓋部材２ｆを取り付ける。
【００２６】
磁石１０は、水質改善装置１を水道管５０に取り付けられた際に、正面２５の極が水道管５０に面する。また磁石１０の背面２６の極に磁性体で作られた磁力線方向変更部材１３が取り付けられており、磁力線方向変更部材１３はＵ字状に曲がっていて先端面１３ａが水道管５０に面している。そのため磁石１０は、水道管５０に磁気を与え、水質を改善する。
【００２７】
結合金具４は、フック２２および錠６０を有する可動側金具４ａと前記フック２２を引っかけるための引っかけ部３４を有する固定側金具４ｂから成る。ケース片２ａには、長辺２１を含む側面２ｃの一方に、可動側金具４ａがほぼ長辺の中央に取り付けられており、他方の側面２ｃに固定側金具４ｂがほぼ長辺の中央に取り付けられている。そして同じケース片２ａを開放面２ｂで重ね合わせると、ケース片２ａの２つの長辺部分でそれぞれ可動側金具４ａと固定側金具４ｂが結合可能な状態となる。
【００２８】
可動側金具４ａのフック２２は、可動側金具４ａの板状部材２２ａの先端に位置し、前記板状部材２２ａはクランク機構により、平行移動および回転移動が可能であり、フック２２は固定状態より引っかけ部３４側により近づけることができ、引っかけ部３４に容易に引っかけることができる。
結合金具４の可動側金具４ａと固定側金具４ｂが結合した状態では、板状部材２２ａはケース片２ａの側面２ｃと平行になり、フック２２は底面側に移動し、引っかけ部３４を、フック２２側のケース片２ａの底面側に向かって引っ張り、ケース片２ａは開口端同士を互いに押しつけ合う。したがって、２つの結合金具４を結合すると、両側で押し付け合い、完全に固定される。
【００２９】
また、固定状態で、錠６０の鍵穴６１に鍵（図示せず）を入れ、鍵をかけると、フック２２の移動はできなくなり、固定状態を解くことができなくなる。したがって、水質改良装置１を水道管５０に取り付けた後での盗難を防ぐことができる。
【００３０】
すなわち本実施形態では、本体側ケース２は、二つのケース片２ａによって構成され、これらは分割可能であって水道管から離脱可能である。言い換えると、本体側ケース２の水道管５０が貫通される空隙部５１と本体側ケース２の外部との間をつなぐ面であって、本体側ケース２が分かれる面が存在し、さらに本体側ケース２は分割された状態で水道管５０が装着可能な幅が確保でき、水道管５０を取り外し又は移動させないでも空隙部５１に装着可能である。そして固定状態で、鍵（図示せず）をかけることができ、盗難を防ぐことができる。
【００３１】
ケース片２ａの短辺２４を含む側面２ｄの一方には、係止部７が設けられている。係止部７は、ケース片接続部７ａ、軸方向固定片７ｂ及び底部７ｄから成る。
ケース片接続部７ａはケース片２ａの短辺２４を含む側面２ｄと同じ形状であり、切り欠き３２が設けられている。そしてケース片接続部７ａは短辺２４を含む側面２ｄでケース片２ａと面同士で接続されている。
【００３２】
軸方向固定片７ｂは、平面視が「Ｌ」形をしている。そしてケース片接続部７ａの側部の両端部で２つの対象形の軸方向固定片７ｂが接続されており、接続部では、軸方向固定片７ｂはケース片接続部７ａと直角に接続し、Ｌ字に曲げられた先端部は互いに内側に向いている。また、前記軸方向固定片７ｂの先端部の同士の間には切り欠かれてすき間ができる。
【００３３】
係止部７の底部７ｄは板状であり、ケース片接続部７ａの底面２ｅ側の辺、２４及び、軸方向固定片７ｂの底面２ｅ側の辺を２辺とする長方形の形状である。底部７ｄはケース片接続部７ａの底面側の辺で接続し、接続面は直角である。
係止部７を別の見方をすると、ケース片２ａの開放面と同じ面は開放面３１であり、ケース片２ａとの接続部分は長方形の切り欠き３２があり、２つの軸方向固定片７ｂの先端部の間が大きな切り欠き３３がある箱状である。
【００３４】
係止部７は、後述する補助ケース片の被係止部８と係合され、水質改良装置１の全長を延長することができる。なお本実施例では、片端のみに係止部７が設けられているが、両端に取り付いていてもかまわない。
【００３５】
補助ケース３は、一対の補助ケース片３ａから成る。補助ケース片３ａは、基本的な構造はケース片２ａと同様で、直方体の箱状であり、一辺は他の２辺に比して長い長辺を有し、前記長辺を含む１面が開放面３ｂとして開放されている。すなわち、開放面３ｂを上にして見ると、平行である長辺を含む２つの側面３ｃと、平行である長辺でない短辺を含む２つの側面３ｄを有し、側面３ｃ及び側面３ｄと直角に接合された長辺を含む底面３ｅを有している。短辺を含む２つの側面３ｄには、切り欠き部が開放面３ｂとつながる長方形の切り欠き５５がある。この切り欠き５５は、補助ケース片３ａ同士が接合され、水道管５０に取り付けられると、切り欠き部分５５がつながり、水道管５０が挿通される。
【００３６】
補助ケース片３ａの底面の内側には磁石１０が設けられている。断面図を図３に示す。磁石は、切り欠き５５の部分よりも外側に納められている。したがって、水質改善装置を水道管５０に設置したとき、水道管５０が挿通される空隙部が確保できる。また磁石１０は水道管５０に近ければ、磁力が強くなり効果が高いので、できるだけ切り欠き５０の部分と同じが望ましい。磁石１０は、水質改善装置１を水道管５０に取り付けられた際に、水道管５０に流れる水に磁気を与え、水質を改善する。
【００３７】
補助ケース片３ａの長手方向端部の側面３ｄの一方には、被係止部８が設けられている。被係止部８は、ケース片接続部８ａと係止片８ｂから成る。
ケース片接続部８ａは補助ケース片３ａの側面３ｄと同じ切り欠き５６を有する。
ケース片接続部８ａは短辺を含む側面３ｄでケース片３ａと面同士で接続する。
【００３８】
係止片８ｂは、長方形の板を辺に対して垂直に２カ所で直角に曲げられたほぼ「コ」字状である。ケース片接続部８ａの側部の両端に、２つ対象形の係止片８ｂが接続し、接続部は直角であり、ほぼ「コ」字状の凸部は補助ケース側とは反対側に向いている。
また、係止片８ｂの先端と補助ケース片３ａの短辺を含む側面３５との間には、すき間３６を有しており、補助ケース片３ａの被係止部８がケース片２ａ側のケース片接続部７ａと係合される際には、前記したすき間３６に、ケース片側の軸方向固定片７ｂの先端部が入る。
被係止部８を外観すると、係止片８ｂは補助ケース片３ａの短辺を含む側面３ｄの両側部で筋状の凸部となっている。
【００３９】
前記した本体ケース片２側の係止部７と、補助ケース片３ａ側に設けられた被係止部８の寸法関係は、次の通りである。すなわち図４の様に、本体ケース片２側の係止部７の凹部の深さＷ１は、補助ケース片３ａの被係止部８の長さｗ１と略等しい。
また本体ケース片２側の係止部７の先端折り曲げ部の幅Ｗ２は、補助ケース片３ａの被係止部８の突端部分の幅ｗ２と略等しい。
本体ケース片２側の係止部７の切り欠き部３２の幅Ｗ３は、補助ケース片３ａの被係止部８の全幅ｗ３よりも小さく、補助ケース片３ａの被係止部８のケース片接続部７ａの幅ｗ４よりも大きい。
【００４０】
本実施例によれば、ケース片２ａの係止部７と補助ケース片３ａの被係止部８と係合することができる。すなわち補助ケース片３ａの被係止部８をケース片２ａの係止部７に、ケース片２ａの開放面２ｂ側から係合部７の底部７ｅに突き当たるまでスライドさせる。このとき、係合部７の軸方向固定片７ｂとケース接続部７ａとの内側に被係止部８の係合片８ｂの外側が接し、係合片７の軸方向固定片７ｂの先端部が被係止部８の係止片８ｂと補助ケース片３ａの短辺を含む側面との間に挿入される。
【００４１】
補助ケース片３ａの被係止部８をケース片２ａの係止部７に係合する場合に、ケース片２ａの長辺２１を含む側面２ｃ側に向かって、または、軸方向に向かってすると、軸方向固定片７ｂと係止片８ｂが当たるため係合できない。
また、補助ケース片３ａの被係止部８をケース片２ａの係止部７に係合する場合にケース片２ａの底面側からすると、底面７ｅと係止片８ｂが当たるため係合できない。
したがって、係止部７と被係止部８を合わせ、補助ケース片３ａをケース片２ａの開放面２ｂ側からスライドさせる以外には係合させることができない。
【００４２】
また、補助ケース片３ａの被係止部８をケース片２ａの係止部７に係合した後に、両者の係合を解く場合、ケース片２ａの長辺を含む側面２ｃ側に向かって、いずれかを移動したり、両者を軸方向に向かって移動すると、軸方向固定片７ｂと係止片８ｂが当たるため係合を解くことができない。また、ケース片２ａの底面側に向かって移動すると、底面７ｅと係止片８ｂが当たるため係合を解くことができない。従って、補助ケース片３ａをケース片２ａの開放面２ｂ側、すなわち、内側に向かってスライドさせる以外には係合を解くことができない。
【００４３】
そして、補助ケース３を係合した１対のケース片２ａを結合金具４により結合すれば、本体側ケース片２ａ同士が接合されるのみならず、補助ケース片３ａも接合される。すなわち、補助ケース片３ａは、ケース片２ａと係合されているが、ケース片２ａは上述したとおり、内側に向かってスライドさせる以外には係合解くことができず、補助ケース片３ａは、互いに移動を妨害し、固定される。接合金具の錠６０の鍵穴６１に鍵をかけると、本体側ケース２及び補助ケース３は鍵なくしては固定状態を解くことができず、盗難を防ぐことができる。
【００４４】
上記した実施形態では、ケース片２ａに２つの接合金具４を設けたが、そのうちの１つを同じ位置で蝶番６に変更してもよい。他の構成は先の実施例と同じ構成であり、１対のケース片２ａは蝶番６で接合されて、蝶番６の部分では回転可能であり、ケース片２ａは蝶番６を中心として開閉可能となる。
【００４５】
すなわち、本発明の第２の実施形態である水質改善装置７０は、図６に示されるものであり、ケース７２は、長辺２１の一方を２枚の蝶番６によって回転可能に接続し、他方を接合金具４により着脱可能としている。接合金具４は、上記した第１の実施形態における水質改善装置１と同様であり、可動側金具４ａと固定側金具（図示せず）により構成されている。
【００４６】
上記した水質改善装置７０によれば、本発明の実施形態と同様の効果を有し、さらに、以下のような効果を有する。すなわち、１つの水質改良装置に対して、接合金具４及び錠６０は１つあれば良い。また接合金具４及び錠６０よりも構造が単純である蝶番６を用いているので、コストが低減できる。また、１対のケース片７２ａは分割されないで一体となっているので、組み合わせの間違いなどがなく容易に取り扱いできる。
【００４７】
また、本発明の第２の実施形態である水質改善装置７０の補助ケース７３の被係止部７８の構造は、第１の実施形態における水質改善装置１の被係止部８とは形状が異なる。
すなわち、被係止部７８はケース片接続部７８ａと２カ所の係止片７８ｂとからなり、係止片７８ｂはクランク状に板を曲げた形状となっており、補助ケース片７３ａの開放面から底面に向かう方向と平行に屈曲している。さらに、２カ所の係止片７８ｂのクランクの向きは反対方向であり、係止片７８ｂの先端側が外側に広がる方向に曲がっている。
被係止部７８の形状は上記の通りであるので、板材をプレス加工して被係止部７８を製作する場合には、容易に曲げ加工ができ、安価に精度良く製作することができる。
【００４８】
そして水質改善装置７０は、第１の実施形態の水質改善装置１と同様に、ケース７２の係合部７７が被係止部７８と係合して水質改善装置７０の全長を延長することが可能である。
さらに具体的に説明すると、係止部７７はケース片接続部７７ａ、軸方向固定片７７ｂ及び底部７７ｄを有し、軸方向固定片７７ｂは、平面視が「Ｌ」形をしている。そしてケース片接続部７７ａの側部の両端部で２つの対象形の軸方向固定片７７ｂが接続されており、接続部では、軸方向固定片７７ｂはケース片接続部７７ａと直角に接続し、Ｌ字に曲げられた先端部は互いに内側に向いている。さらに、係合部７７と被係合部７８が係合する際には、軸方向固定片７７ｂと、クランク状の係合片７８ｂが接触して固定される。このとき、補助ケース７３は、軸方向固定片７７ｂ及び底部７７ｄによって、内側に向かって移動させてのみ係合部と被係合部の係合を解くことができる。
【００４９】
上記した、水質改善装置のケース及び補助ケースは、金属や樹脂などを加工したものを用いることができる。特に、水質改善装置１，７０は屋外などに設置される場合があるので、防錆性に優れるステンレス板やアルミ板を折り曲げ加工することにより、製作するのが望ましい。
【００５０】
【発明の効果】
本発明は、上述の通り構成されているので、次のような効果を奏する。すなわちケース片同士の分離部又は開閉部にケース片同士を結合する結合手段が設けられ、当該結合手段に錠が設けられているので、取り付けた後で盗難されることがない。
補助ケース片を内側に向かって移動させてのみで係合部と被係合部の係合を解くことができるので、ケース片が結合していれば補助ケース片は外れることはなく、ケース片の結合手段に錠が設けられているので、取り付けた後でケース片のみならず補助ケース片も盗難されることがない。
また、係合部と被係合部を係合させてケースと補助ケースを係合させることにより全長を延長することが可能であるので、自由に長さ変更することができ、水道管の長さに応じて水質改善装置の長さを適当に変更することができる。このような方法で長さを変更することで、部品の品種を減らすことができ、量産性が向上し、コストを下げることができる。
さらに、磁性体がが磁石の外側に取り付けられ、磁性体は少なくとも一面が水道管に面しているので磁力が強く、効率よく水道水に磁気を与えることができる。
【図面の簡単な説明】
【図１】  本発明の実施形態における水質改良装置の全体斜視図である。
【図２】  本発明の実施形態における水質改良装置を分解した状態での斜視図である。
【図３】  本発明の実施形態におけるケース片の断面斜視図である。
【図４】  本発明の実施形態における水質改善装置のケース片と補助ケース片の係合を解いた状態での斜視図である。
【図５】  本発明の実施形態におけるケース片のふたを取り外した状態での斜視図である。
【図６】  本発明の第２の実施形態における水質改良装置を開いた状態の斜視図である。
【図７】  本発明の第２の実施形態における水質改良装置を分解した状態の斜視図である。
【符号の説明】
１，７０  水質改善装置
２，７２  ケース
３，７３  補助ケース
４  接合金具
７，７７  係合部
８，７８  被係合部
１０  磁石
１３  磁力線方向変更装置
１４  緩衝材
６０  錠
【図１】
0003930377.tif 000002
【図２】
0003930377.tif 000003
【図３】
0003930377.tif 000004
【図４】
0003930377.tif 000005
【図５】
0003930377.tif 000006
【図６】
0003930377.tif 000007
【図７】
0003930377.tif 000008